(57)【要約】【課題】所望の外部入力端子に容易且つ短時間で切り替えることができ、ユーザにとって使い勝手の良い電子機器を提供する。【解決手段】テレビジョン受像機１００において、複数の外部入力端子７１のうちから、外部入力を行う外部入力端子７１を選択するための入力切替キー２１ｂを備えるキー操作部２１を備え、順番記憶手段（順番記憶プログラム１６３ｂ、順番格納メモリ１６２２ａ等）は、外部入力端子７１が、複数の外部入力端子７１の中で外部入力を行う外部入力端子７１として選択された順番を、選択された時間が新しい順に記憶し、切替手段（第１切替プログラム１６３ｅ等）は、入力切替キー２１ｂのキー操作の度に、順番記憶手段により記憶された順番で、選択される外部入力端子７１を順に切り替える。【選択図】図２
2008182397.tif 000002
【特許請求の範囲】
【請求項１】
複数の外部入力端子を備える電子機器において、
前記複数の外部入力端子のうちから、外部入力を行う外部入力端子を選択するための入力切替キーを備えるキー操作部と、
前記複数の外部入力端子のうちから、外部機器が接続された外部入力端子を検出する検出手段と、
前記外部入力端子が、前記複数の外部入力端子の中で外部入力を行う外部入力端子として選択された順番を、選択された時間が新しい順に記憶する順番記憶手段と、
前記複数の外部入力端子の各々が、外部入力を行う外部入力端子として選択された回数を記憶する回数記憶手段と、
前記入力切替キーのキー操作の度に、前記順番記憶手段により記憶された順番で、選択される外部入力端子を順に切り替える第１切替手段と、
前記入力切替キーのキー操作の度に、前記回数記憶手段により記憶された回数の多い順番で、選択される外部入力端子を順に切り替える第２切替手段と、
前記第１切替手段による切替制御と前記第２切替手段による切替制御の何れかをユーザに選択させるための切替選択手段と、
を備え、
前記切替選択手段により選択された切替制御により、前記検出手段により検出された前記外部入力端子のうちから、選択される外部入力端子を順に切り替えるように構成したことを特徴とする電子機器。
【請求項２】
複数の外部入力端子を備える電子機器において、
前記複数の外部入力端子のうちから、外部入力を行う外部入力端子を選択するための入力切替キーを備えるキー操作部と、
前記外部入力端子が、前記複数の外部入力端子の中で外部入力を行う外部入力端子として選択された順番を、選択された時間が新しい順に記憶する順番記憶手段と、
前記入力切替キーのキー操作の度に、前記順番記憶手段により記憶された順番で、選択される外部入力端子を順に切り替える切替手段と、
を備えることを特徴とする電子機器。
【請求項３】
前記複数の外部入力端子の各々が、外部入力を行う外部入力端子として選択された回数を記憶する回数記憶手段と、
前記入力切替キーのキー操作の度に、前記回数記憶手段により記憶された回数の多い順番で、選択される外部入力端子を順に切り替える第２切替手段と、
前記切替手段による切替制御と前記第２切替手段による切替制御の何れかをユーザに選択させるための切替選択手段と、を備え、
前記切替選択手段により選択された切替制御により、選択される外部入力端子を順に切り替えるように構成したことを特徴とする請求項２に記載の電子機器。
【発明の詳細な説明】
【技術分野】
【０００１】
本発明は、外部機器と接続するための複数の外部入力端子を備える電子機器に関する。
【背景技術】
【０００２】
近年、テレビジョン受像機等の電子機器では、輝度信号と色信号を別々に伝送するＳ端子や、コンポーネント映像信号を一本のケーブルで伝送するＤ端子、映像信号及び音声信号を１本のケーブルによりデジタル伝送するＨＤＭＩ（High Definition Multimedia Interface）端子等の新たな外部入力方式が採用されるようになり、外部入力端子数が増加の傾向にある。しかしながら一方で、リモコンに設けることができるキー数は限られているため、シーケンシャルに切り替わる外部入力端子のうちから所望の外部入力端子が選択されるまでスイッチを押下して切り替える形式のものがほとんどであり、外部入力への切替操作が煩わしいという問題があった。
【０００３】
そこで、従来、入力切り替えボタンが押下されると、ユーザにより予め設定された複数の入力機器の優先順位に基づいて、外部機器を順次選択する電子機器（特許文献１参照）や、予め設定された優先順位に基づいて入力端子を選択し、又は、不要な入力端子には切り替えないことで、短時間かつ少ない操作回数でユーザの希望する外部機器からの入力に切り替えることができる入力切替装置（特許文献２参照）が開示されている。
また、例えば、外部映像機器毎の視聴時間、選択回数を記憶したタイムテーブルに基づいて、選択回数又は視聴時間の多い順番に各外部映像機器に切り替える映像機器（特許文献３参照）が開示されている。
【特許文献１】特開２００６−１５７１１３号公報
【特許文献２】特開２００５−１０２００２号公報
【特許文献３】特開２００５−２４４７８５号公報
【発明の開示】
【発明が解決しようとする課題】
【０００４】
しかしながら、特許文献１及び２のように、ユーザが予め外部入力機器の切り替えの順番を設定する方法では、設定操作が面倒であり、ユーザに負担がかかるという問題があった。また、特許文献３に開示されたように、視聴時間や操作履歴をテーブルに蓄積する方法では、新たな外部機器の導入等により、今まで頻繁に使用していたものと異なる外部入力端子を使用することになった場合に、使用時間や選択回数等が他の外部入力端子を上回るまでの間は外部入力端子の切替順が入れ替わらないため、所望の外部入力端子を素早く選択することができず、ユーザにとって使い勝手が悪いという問題があった。
【０００５】
本発明の課題は、所望の外部入力端子に容易且つ短時間で切り替えることができ、ユーザにとって使い勝手の良い電子機器を提供することである。
【課題を解決するための手段】
【０００６】
上記課題を解決するため、請求項１に記載の発明は、複数の外部入力端子を備える電子機器において、
前記複数の外部入力端子のうちから、外部入力を行う外部入力端子を選択するための入力切替キーを備えるキー操作部と、
前記複数の外部入力端子のうちから、外部機器が接続された外部入力端子を検出する検出手段と、
前記外部入力端子が、前記複数の外部入力端子の中で外部入力を行う外部入力端子として選択された順番を、選択された時間が新しい順に記憶する順番記憶手段と、
前記複数の外部入力端子の各々が、外部入力を行う外部入力端子として選択された回数を記憶する回数記憶手段と、
前記入力切替キーのキー操作の度に、前記順番記憶手段により記憶された順番で、選択される外部入力端子を順に切り替える第１切替手段と、
前記入力切替キーのキー操作の度に、前記回数記憶手段により記憶された回数の多い順番で、選択される外部入力端子を順に切り替える第２切替手段と、
前記第１切替手段による切替制御と前記第２切替手段による切替制御の何れかをユーザに選択させるための切替選択手段と、
を備え、
前記切替選択手段により選択された切替制御により、前記検出手段により検出された前記外部入力端子のうちから、選択される外部入力端子を順に切り替えるように構成したことを特徴とする。
【０００７】
請求項２に記載の発明は、複数の外部入力端子を備える電子機器において、
前記複数の外部入力端子のうちから、外部入力を行う外部入力端子を選択するための入力切替キーを備えるキー操作部と、
前記外部入力端子が、前記複数の外部入力端子の中で外部入力を行う外部入力端子として選択された順番を、選択された時間が新しい順に記憶する順番記憶手段と、
前記入力切替キーのキー操作の度に、前記順番記憶手段により記憶された順番で、選択される外部入力端子を順に切り替える切替手段と、
を備えることを特徴とする。
【０００８】
請求項３に記載の発明は、請求項２に記載の電子機器において、前記複数の外部入力端子の各々が、外部入力を行う外部入力端子として選択された回数を記憶する回数記憶手段と、
前記入力切替キーのキー操作の度に、前記回数記憶手段により記憶された回数の多い順番で、選択される外部入力端子を順に切り替える第２切替手段と、
前記切替手段による切替制御と前記第２切替手段による切替制御の何れかをユーザに選択させるための切替選択手段と、を備え、
前記切替選択手段により選択された切替制御により、選択される外部入力端子を順に切り替えるように構成したことを特徴とする。
【発明の効果】
【０００９】
請求項１に記載の発明によれば、複数の外部入力端子を備える電子機器において、複数の外部入力端子のうちから、外部入力を行う外部入力端子を選択するための入力切替キーを備えるキー操作部が備わり、検出手段により、複数の外部入力端子のうちから、外部機器が接続された外部入力端子が検出され、順番記憶手段により、外部入力端子が、複数の外部入力端子の中で外部入力を行う外部入力端子として選択された順番が、選択された時間が新しい順に記憶され、回数記憶手段により、複数の外部入力端子の各々が、外部入力を行う外部入力端子として選択された回数が記憶され、第１切替手段により、入力切替キーのキー操作の度に、順番記憶手段により記憶された順番で、選択される外部入力端子が順に切り替えられ、第２切替手段により、入力切替キーのキー操作の度に、回数記憶手段により記憶された回数の多い順番で、選択される外部入力端子が順に切り替えられ、切替選択手段により、第１切替手段による切替制御と第２切替手段による切替制御の何れかがユーザにより選択され、切替選択手段により選択された切替制御により、検出手段により検出された外部入力端子のうちから、選択される外部入力端子が順に切り替えられる。
したがって、新たな外部機器の導入等により、今まで頻繁に使用していたものと異なる外部入力端子を使用することになった場合であっても、設定操作を行うことなく、選択される可能性の高い前回選択された外部入力端子から順に切り替えが行われることとなって、所望の外部入力端子に容易且つ短時間で切り替えることができ、ユーザにとって使い勝手の良い電子機器を提供することができる。
また、選択された順番が新しい順又は使用頻度の多い順のうち、ユーザ所望の切替順で外部入力を切り替えることが可能となって、使い勝手をより向上させることができる。また、外部機器の接続された外部入力端子のみに切り替えされることとなって、所望の外部入力端子により短時間で切り替えることができる。
【００１０】
請求項２に記載の発明によれば、複数の外部入力端子を備える電子機器において、複数の外部入力端子のうちから、外部入力を行う外部入力端子を選択するための入力切替キーを備えるキー操作部が備わり、順番記憶手段により、外部入力端子が、複数の外部入力端子の中で外部入力を行う外部入力端子として選択された順番が、選択された時間が新しい順に記憶され、切替手段により、入力切替キーのキー操作の度に、順番記憶手段により記憶された順番で、選択される外部入力端子が順に切り替えられる。
したがって、新たな外部機器の導入等により、今まで頻繁に使用していたものと異なる外部入力端子を使用することになった場合であっても、設定操作を行うことなく、選択される可能性の高い前回選択された外部入力端子から順に切り替えが行われることとなって、所望の外部入力端子に容易且つ短時間で切り替えることができ、ユーザにとって使い勝手の良い電子機器を提供することができる。
【００１１】
請求項３に記載の発明によれば、請求項２に記載の発明の効果が得られるのは無論のこと、回数記憶手段により、複数の外部入力端子の各々が、外部入力を行う外部入力端子として選択された回数が記憶され、第２切替手段により、入力切替キーのキー操作の度に、回数記憶手段により記憶された回数の多い順番で、選択される外部入力端子が順に切り替えられ、切替選択手段により、切替手段による切替制御と第２切替手段による切替制御の何れかがユーザにより選択され、切替選択手段により選択された切替制御により、選択される外部入力端子を順に切り替えるように構成されている。
したがって、入力切替キーのキー操作に基づいて、使用頻度が多い外部入力端子から順に切り替える処理が可能となるとともに、選択された順番が新しい順又は使用頻度の多い順のうち、所望の切替順で外部入力を切り替えることが可能となって、使い勝手をより向上させることができる。
【発明を実施するための最良の形態】
【００１２】
以下、図面を参照しながら、本発明の実施の形態を詳細に説明する。
本実施形態では、電子機器としてテレビジョン受像機を例に説明を行う。
【００１３】
まず、本実施形態におけるテレビジョン受像機１００の全体構成について説明する。図１は、本実施形態におけるテレビジョン受像機１００の全体構成を例示する図である。また、図２は、本実施形態におけるテレビジョン受像機１００の要部構成を示すブロック図である。
本実施形態のテレビジョン受像機１００は、図１及び図２に示すように、入力される各種データに対して所定の信号処理を行って映像・音声を出力する装置本体１と、ユーザが各種操作指示を入力して装置本体１を遠隔操作するためのリモートコントローラ２等を備えて構成される。
また、装置本体１には、装置本体１に対して各種データを入力するための外部機器２００が接続ケーブルＣにより接続されている。外部機器２００は、例えば、ＤＶＤ（Digital Versatile Disc）プレーヤ・レコーダや、Ｄ−ＶＨＳ（Data Video Home System）ビデオデッキ、パソコン（Personal Computer）、ゲーム機等である。
【００１４】
リモートコントローラ（以下、リモコンと称する）２はキー操作部２１を備え、テレビジョン受像機１００の装置本体１を遠隔操作する。具体的には、キー操作部２１において、ユーザによりキーの押下操作がなされると、押下操作されたキーに対応する赤外線等の入力操作信号が出力され、当該入力操作信号が装置本体１に設けられたリモコン信号受光部１５を介して、制御部１６に出力されるようになっている。
キー操作部２１は、例えば、映像表示部１３のディスプレイ１３ａに各種メニュー画面を表示させるためのメニューキー２１ａと、複数の外部入力端子７１のうちから外部入力を行う外部入力端子７１を選択するための入力切替キー２１ｂと、メニュー画面等において所望の項目を選択するためのアップ／ダウンキー２１ｃと、メニュー画面において選択した項目等を確定するための決定キー２１ｄと、等を備えており、更に、図示は省略するが、テレビジョン受像機１００の電源をオン／オフするための電源キー、チャンネル番号の指示入力等を行うための数字（０〜９）が割り当てられたテンキー、ボリュームキー等を備えている。
なお、このようなキー操作部２１が、装置本体１の前面部等に設けられている構成であっても良い。
【００１５】
装置本体１は、放送信号を受信するためのＢＳ／ＣＳアンテナ３ａ・地上デジタルアンテナ３ｂ・地上アナログアンテナ３ｃと、アンテナ３ａ〜３ｃにより受信される放送信号の中から所定の周波数の放送信号を選局して受信するためのＢＳ／ＣＳチューナ４ａ・地上デジタルチューナ４ｂ・地上アナログチューナ４ｃと、入力される放送信号を復調する復調部５と、入力されるデータに対して所定のデコーダ処理を行うデコーダ部６と、複数の外部入力端子７１、・・・を備える入力端子部７と、外部機器２００が接続される外部入力端子７１を検出するための接続検出部８と、入力されるデータを切替接続するＡＶスイッチ部９と、映像データに対して所定の映像処理を行う映像処理部１０と、音声データに対して所定の音声処理を行う音声処理部１１と、映像表示部１３に入力される映像データに対してＯＳＤデータを付加するＯＳＤ（On Screen Display）回路１２と、映像処理部１０から入力される映像データに基づいて映像を表示する映像表示部１３と、音声処理部１１から入力される音声データに基づいて音声を出力する音声出力部１４と、リモコン２から送信される入力操作信号を受信するとともに、受信した入力操作信号を制御部１６に出力するリモコン信号受光部１５と、装置本体１の各部を統括制御する制御部１６等を備えて構成される。
【００１６】
ＢＳ／ＣＳアンテナ３ａ、地上デジタルアンテナ３ｂ、地上アナログアンテナ３ｃのそれぞれは、例えば、屋外において所定の方向に向けて配置されており、図示しないテレビジョン放送局から発信される放送信号を受信する。
【００１７】
ＢＳ／ＣＳチューナ４ａ、地上デジタルチューナ４ｂ、地上アナログチューナ４ｃのそれぞれは、アンテナ３ａ〜３ｃにより受信される放送信号の中から所定の周波数の放送信号を選局して受信する。具体的には、各チューナ４ａ〜４ｃは、制御部１６による制御に基づいて、所定のチャンネルに対応する特定周波数帯の放送信号を受信する。そして、受信した特定周波数帯の放送信号を所定の中間周波数を有する中間周波信号（IF信号）に変換して、復調部５に出力する。
【００１８】
復調部５は、例えば，図示は省略するが、デジタル信号復調部及びアナログ信号復調部を備えている。デジタル信号復調部は、制御部１６による制御に従って、ＢＳ／ＣＳチューナ４ａ又は地上デジタルチューナ４ｂから入力されたデジタルＩＦ信号に対して増幅、復調、誤り訂正等の処理を行い、トランスポートストリーム（TS）を生成してデコーダ部６に出力する。また、アナログ信号復調部は、地上アナログチューナ４ｃから入力されたアナログＩＦ信号に対して増幅、復調等の処理を行い、映像データ及び音声データを生成する。
【００１９】
デコーダ部６は、例えば、図示しないＴＳデコーダ、ビデオデコーダ、オーディオデコーダを備え、ＴＳデコーダにおいて、復調部５から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等に分離し、当該ビデオストリームをビデオデコーダに、オーディオストリームをオーディオデコーダに、さらに、ＰＳＩ／ＳＩに含まれるデータを制御部１６に供給する。
ビデオデコーダは、ＴＳデコーダから入力されたビデオストリームを復号し、逆ＤＣＴ変換や動き補償制御等を行い、映像データを生成する。また、オーディオデコーダは、ＴＳデコーダから入力されたオーディオストリームを復号し、音声データを生成する。
【００２０】
入力端子部７は、複数の外部入力端子７１を備えて構成される。図３は、テレビジョン受像機１００の装置本体１に備わる複数の外部入力端子７１を例示する図である。
テレビジョン受像機１００の装置本体１の背面部や前面部には、例えば、図３に示すように、Ｓ端子／映像端子及び音声端子から成る第１コンポジット端子７１ａ、第２コンポジット端子７１ｂ、Ｄ端子及び音声端子から成る第１Ｄ端子７１ｃ、第２Ｄ端子７１ｄ、ＨＤＭＩ端子７１ｅ等の複数の外部入力端子７１を備える入力端子部７が設けられている。外部機器２００は、これらの外部入力端子７１に接続ケーブルＣにより接続されることにより、装置本体１と接続されて、装置本体１に対して各種データを入力する。
【００２１】
接続検出部８は、例えば、装置本体１に備わる複数の外部入力端子７１のうちから、外部機器２００が接続された外部入力端子７１を検出する。
具体的には、接続検出部８は、入力端子部７に備わる外部入力端子７１からの信号（例えば、同期信号）の有無を検出することにより、それぞれの外部入力端子７１に外部機器２００が接続されているか否かを検出し、検出結果を制御部１６に出力する。
接続検出部８は、外部機器２００が接続された外部入力端子７１を検出することにより検出手段の一部を構成する。
【００２２】
ＡＶスイッチ部９は、入力端子部７に備わる外部入力端子７１のうちから何れかの外部入力端子７１を接続する切替処理を行うことにより、当該外部入力端子７１に接続された外部機器２００から入力されるデータを受信して、後段の映像処理部１０・音声処理部１１等に出力する。
具体的には、ユーザが、リモコン２のキー操作部２１に備わる入力切替キー２１ｂを押下操作すると、当該入力切替キー２１ｂに対応する入力操作信号が制御部１６に出力される。すると、当該入力操作信号に基づく制御信号が制御部１６からＡＶスイッチ部９に対して出力される。ＡＶスイッチ部９は、入力切替キー２１ｂのキー操作に対応する制御部１６からの制御信号に基づいて、入力切替キー２１ｂの押下操作毎に、入力端子部７に備わる外部入力端子７１のうちから、接続する外部入力端子７１を順に切り替える。
また、ＡＶスイッチ部９は、入力端子部７に備わる複数の外部入力端子７１のうち一番目の外部入力端子７１から最後の順番の外部入力端子７１まで順に切り替えて一巡した後に、入力切替キー２１ｂのキー操作が行われると、再び、チューナ４ａ〜４ｃからの入力に切り替えるように構成されている。
これにより、ＡＶスイッチ部９は、切替手段（第１切替手段、第２切替手段）の一部を構成する。
【００２３】
映像処理部１０は、ＡＶスイッチ部９から入力された映像データに対して、Ｄ／Ａ変換等の各種処理を施し、映像信号を生成するとともに、生成した映像信号を映像表示部１３に出力する。
音声処理部１１は、ＡＶスイッチ部９から入力された音声データに対してＤ／Ａ変換、増幅処理等の各種処理を行い、音声信号を生成するとともに、生成した音声信号を音声出力部１４に出力する。
【００２４】
ＯＳＤ回路１２は、映像表示部１３に出力される映像データに対して、後述するメモリ部１６２等に格納された図示しないＯＳＤデータを合成する処理を行う。
【００２５】
映像表示部１３は、例えば、ＬＣＤ（Liquid Crystal Display）等のディスプレイ１３ａを備えており、映像処理部１０から入力された映像信号に基づく映像をディスプレイ１３ａに表示させる。
音声出力部１４は、例えば、スピーカ１４ａ等を備え、音声処理部１１から入力された音声信号に基づく音声をスピーカ１４ａにより出力させる。
【００２６】
リモコン信号受光部１５は、リモコン２に備わる各種キーの押下操作により出力された入力操作信号を受信して、増幅、検波、誤り訂正等の処理を行い、当該入力操作信号をＣＰＵ１６１に出力する。
【００２７】
制御部１６は、ＣＰＵ（Central Processing Unit）１６１、メモリ部１６２、ＲＯＭ（Read Only Memory）１６３等を備えて構成されている。
【００２８】
ＣＰＵ１６１は、装置本体１の各部から入力された入力信号や、リモコン２等のキー操作部２１における各種キーの押下操作によってリモコン信号受光部１５を介して入力された入力操作信号等に応じて、ＲＯＭ１６３に格納された各種プログラムを実行するとともに、実行にかかるプログラムに基づいて装置本体１の各部に出力信号を出力することにより、テレビジョン受像機１００の動作全般を統括制御する。
【００２９】
メモリ部１６２は、例えば、ＲＡＭ（Random Access Memory）等の揮発性メモリからなるワークエリア１６２１を備えており、ＣＰＵ１６１によって各種プログラムが実行される際に生じる処理結果や、入力されたデータ等をこのワークエリア１６２１に記憶させる。
【００３０】
また、メモリ部１６２は、ＥＰＲＯＭ（Erasable Programmable ROM）等の不揮発性メモリからなるデータエリア１６２２を備えている。データエリア１６２２は、例えば、順番格納メモリ１６２２ａ、回数格納メモリ１６２２ｂ、設定データ１６２２ｃを備えている。
具体的には、順番格納メモリ１６２２ａは、後述する順番記憶プログラム１６３ｂの実行において、入力端子部７に備わる複数の外部入力端子７１の中で外部入力を行う外部入力端子７１として選択された順番を、選択された時間が新しい順に記憶する。これにより、当該順番格納メモリ１６２２ａは、順番記憶手段の一部を構成する。
また、回数格納メモリ１６２２ｂは、後述する回数記憶プログラム１６３ｃの実行において、入力端子部７に備わる複数の外部入力端子７１の各々が、外部入力を行う外部入力端子７１として選択された回数を記憶する。これにより、当該回数格納メモリ１６２２ｂは、回数記憶手段の一部を構成する。
【００３１】
ここで、「外部入力を行う外部入力端子として選択される」とは、ある外部入力端子７１に接続が切り替えられた後に、入力切替キー２１ｂのキー操作が所定時間の間行われなかった場合を言い、入力切替キー２１ｂのキー操作により複数の外部入力端子７１を順次切り替えていく途中で、一時的に選択された場合は省かれる。
【００３２】
設定データ１６２２ｃは、後述する切替選択プログラム１６３ｄの実行において、第１切替プログラム１６３ｅの実行による切替制御と、第２切替プログラム１６３ｆの実行による切替制御の何れが、ユーザにより選択されたかを示すデータである。ユーザによりリモコン２に備わる入力切替キー２１ｂのキー操作が行われると、当該設定データ１６２２ｃとして選択された切替制御に基づいて、第１切替プログラム１６３ｅ又は第２切替プログラム１６３ｆが実行されることとなる。
【００３３】
ＲＯＭ１６３は、例えば、不揮発性メモリからなるプログラム格納エリアを有しており、具体的には、検出プログラム１６３ａ、順番記憶プログラム１６３ｂ、回数記憶プログラム１６３ｃ、切替選択プログラム１６３ｄ、第１切替プログラム１６３ｅ、第２切替プログラム１６３ｆ等を備えている。
【００３４】
検出プログラム１６３ａは、例えば、ＣＰＵ１６１に、複数の外部入力端子７１のうちから、外部機器２００が接続された外部入力端子７１を検出する機能を実現させるためのプログラムである。
具体的には、ユーザによる、リモコン２等のキー操作部２１に備わる入力切替キー２１ｂのキー操作により、外部入力を行う外部入力端子７１を選択するための入力操作信号がリモコン信号受光部１５を介して制御部１６に入力されると、ＣＰＵ１６１は、接続検出部８に制御信号を出力することにより、接続検出部８に、入力端子部７における複数の外部入力端子７１のうちから、外部機器２００が接続された外部入力端子７１を検出させる。ＣＰＵ１６１は、接続検出部８により検出された外部機器２００が接続された外部入力端子７１に関するデータを、ワークエリア１６２１等の所定の領域に一時的に記憶し、後述する第１切替プログラム１６３ｅ又は第２切替プログラム１６３ｆの実行による切替制御に際して参照する。
ＣＰＵ１６１は、かかる検出プログラム１６３ａを実行することにより、接続検出部８とともに検出手段として機能する。
【００３５】
順番記憶プログラム１６３ｂは、例えば、ＣＰＵ１６１に、外部入力端子７１が、複数の外部入力端子７１の中で外部入力を行う外部入力端子７１として選択された順番を、選択された時間が新しい順に記憶する機能を実現させるためのプログラムである。
具体的には、ＣＰＵ１６１は、入力端子部７に備わる外部入力端子７１が、外部入力を行う外部入力端子７１として選択された順番を、選択された時間が現在時点に対して近い順に、メモリ部１６２のデータエリア１６２２に備わる順番格納メモリ１６２２ａに記憶する。
図４は、メモリ部１６２のデータエリア１６２２に格納される順番格納メモリ１６２２ａを例示する図である。順番格納メモリ１６２２ａは、例えば、図４に例示するように、第２コンポジット端子７１ｂ→第１Ｄ端子７１ｃ→ＨＤＭＩ端子７１ｅ→第１コンポジット端子７１ａ→第２Ｄ端子７１ｄ等の順番を時間情報とともに記憶している。
ＣＰＵ１６１は、後述する第１切替プログラム１６３ｅ又は第２切替プログラム１６３ｆの実行により、入力端子部７に備わる何れかの外部入力端子７１が外部入力を行う外部入力端子７１として選択されてＡＶスイッチ部９により切替接続され、当該外部入力端子７１に接続された外部機器２００から装置本体１に各種データが入力される処理が行われると、その外部入力端子７１の順番を１番目として、当該外部入力端子７１がＡＶスイッチ部９により切替接続された時間情報とともに順番格納メモリ１６２２ａに記憶するとともに、予め記憶されている当該外部入力端子７１のデータを消去する。さらに、これに適合するよう、各外部入力端子７１の順番を更新する。
ＣＰＵ１６１は、かかる順番記憶プログラム１６３ｂを実行することにより、順番格納メモリ１６２２ａとともに順番記憶手段として機能する。
【００３６】
回数記憶プログラム１６３ｃは、例えば、ＣＰＵ１６１に、複数の外部入力端子７１の各々が、外部入力を行う外部入力端子７１として選択された回数を記憶する機能を実現させるためのプログラムである。
具体的には、ＣＰＵ１６１は、入力端子部７に備わる外部入力端子７１の各々が、外部入力を行う外部入力端子７１として選択された回数を、メモリ部１６２のデータエリア１６２２に備わる回数格納メモリ１６２２ｂに記憶する。
図５は、メモリ部１６２のデータエリア１６２２に格納される回数格納メモリ１６２２ｂを例示する図である。回数格納メモリ１６２２ｂは、例えば、図５に例示するように、入力端子部７に備わる第１コンポジット端子７１ａ、第２コンポジット端子７１ｂ、第１Ｄ端子７１ｃ、第２Ｄ端子７１ｄ、ＨＤＭＩ端子７１ｅのそれぞれが、外部入力を行う外部入力端子７１として選択された回数（例えば、第１コンポジット端子７１ａが外部入力を行う外部入力端子７１として選択された回数は「５１」回）を記憶している。
ＣＰＵ１６１は、後述する第１切替プログラム１６３ｅ又は第２切替プログラム１６３ｆの実行により、入力端子部７に備わる何れかの外部入力端子７１が外部入力を行う外部入力端子７１として選択されてＡＶスイッチ部９により切替接続され、当該外部入力端子７１に接続された外部機器２００から装置本体１に各種データが入力される処理が行われると、その度に、回数格納メモリ１６２２ｂにおいてその外部入力端子７１に割り当てられる回数を１回分インクリメントする。
ＣＰＵ１６１は、かかる回数記憶プログラム１６３ｃを実行することにより、回数格納メモリ１６２２ｂとともに回数記憶手段として機能する。
【００３７】
切替選択プログラム１６３ｄは、例えば、ＣＰＵ１６１に、第１切替プログラム１６３ｅの実行による切替制御と、第２切替プログラム１６３ｆの実行による切り替え制御の何れかを、ユーザに選択させるための機能を実現させるためのプログラムである。
具体的には、ユーザによるリモコン２等に備わるキー操作部２１におけるメニューキー２１ａ等のキー操作により、映像表示部１３に切替順序選択画面を表示させるための入力操作信号が、リモコン信号受光部１５を介して制御部１６に入力されると、ＣＰＵ１６１は、メモリ部１６２等の所定の領域に記憶された切替順序選択画面用のＯＳＤデータ（図示省略）を読み出し、読み出したＯＳＤデータを、ＯＳＤ回路１２により映像表示部１３に出力される映像データに付加することにより、映像表示部１３のディスプレイ１３ａに切替順序選択画面を表示させる。
図６は、映像表示部１３のディスプレイ１３ａに表示される切替順序選択画面を例示する図である。図６に示すように、切替順序選択画面には、キー操作部２１における入力切替キー２１ｂのキー操作に基づいて、第１切替プログラム１６３ｅによる切替制御を行うモード１と、第２切替プログラム１６３ｆによる切替制御を行うモード２の、何れかのモードをユーザに選択させるようになっている。このような切替順序選択画面において、キー操作部２１のキー操作によりモード１又はモード２がユーザにより選択されると、選択されたモードが、メモリ部１６２のデータエリア１６２２に設定データ１６２２ｃとして記憶されることとなる。
ＣＰＵ１６１は、かかる切替選択プログラム１６３ｄを実行することにより、切替選択手段として機能する。
【００３８】
第１切替プログラム１６３ｅは、例えば、ＣＰＵ１６１に、入力切替キー２１ｂのキー操作の度に、順番記憶プログラム１６３ｂの実行により記憶された順番で、検出プログラム１６３ａの実行により外部機器２００が接続されていると検出された外部入力端子７１のうちから、選択される外部入力端子７１を順に切り替える機能を実現させるためのプログラムである。
具体的には、前述の切替選択プログラム１６３ｄの実行により第１切替プログラム１６３ｅによる切替制御を行うモード１が選択され、当該モード１が設定データ１６２２ｃとして記憶されている場合に、ユーザにより、リモコン２等のキー操作部２１に備わる入力切替キー２１ｂのキー操作が行われて、入力切替キー２１ｂに対応する入力操作信号が制御部１６に入力されると、ＣＰＵ１６１は、入力切替キー２１ｂのキー操作の度に、ＡＶスイッチ部９に切替制御信号を出力することにより、接続検出部８において外部機器２００が接続されていると検出された外部入力端子７１のうちから、順番格納メモリ１６２２ａに記憶された順番（すなわち、外部入力を行う外部入力端子７１として選択された時間が現在時点に対して近い順番）で、入力端子部７に備わる複数の外部入力端子７１の接続を順に切り替えさせる。また、ＣＰＵ１６１は、外部入力端子７１の切替処理に際して、映像表示部１３のディスプレイ１３ａに、ＡＶスイッチ部９により切替接続された外部入力端子７１を示すＯＳＤ表示を行う。
ＣＰＵ１６１は、かかる第１切替プログラム１６３ｅを実行することにより、第１切替手段（切替手段）として機能する。
【００３９】
第２切替プログラム１６３ｆは、例えば、ＣＰＵ１６１に、入力切替キー２１ｂのキー操作の度に、回数記憶プログラム１６３ｃの実行により記憶された回数の多い順番で、検出プログラム１６３ａの実行により外部機器２００が接続された外部機器２００として検出された外部入力端子７１のうちから、選択される外部入力端子７１を順に切り替える機能を実現させるためのプログラムである。
具体的には、前述の切替選択プログラム１６３ｄの実行により第２切替プログラム１６３ｆによる切替制御を行うモード２が選択され、当該モード２が設定データ１６２２ｃとして記憶されている場合に、ユーザにより、リモコン２等のキー操作部２１に備わる入力切替キー２１ｂのキー操作が行われて、入力切替キー２１ｂに対応する入力操作信号が制御部１６に入力されると、ＣＰＵ１６１は、入力切替キー２１ｂのキー操作の度に、ＡＶスイッチ部９に切替制御信号を出力することにより、接続検出部８において外部機器２００が接続されていると検出された外部入力端子７１のうちから、回数格納メモリ１６２２ｂに記憶された回数が多い順番（すなわち、外部入力を行う外部入力端子７１として選択された回数が多い順番）で、入力端子部７に備わる複数の外部入力端子７１の接続を順に切り替えさせる。また、ＣＰＵ１６１は、外部入力端子７１の切替処理に際して、映像表示部１３のディスプレイ１３ａに、ＡＶスイッチ部９により切替接続された外部入力端子７１を示すＯＳＤ表示を行う。
ＣＰＵ１６１は、かかる第２切替プログラム１６３ｆを実行することにより、第２切替手段として機能する。
【００４０】
ここで、第１切替プログラム１６３ｅ及び第２切替プログラム１６３ｆの実行における、ＣＰＵ１６１の外部入力端子７１の切替処理について、より具体的に説明する。
【００４１】
ユーザが、リモコン２等のキー操作部２１に備わる入力切替キー２１ｂをキー操作し、当該入力切替キー２１ｂに対応する入力操作信号が制御部１６に入力されると、ＣＰＵ１６１は、初めに、入力端子部７に備わる複数の外部入力端子７１のうち、外部機器２００が接続された外部入力端子７１を接続検出部８により検出させ、検出結果をワークエリア１６２１等に一時的に記憶する。次に、ＣＰＵ１６１は、データエリア１６２２に記憶された設定データ１６２２ｃを参照して、第１切替プログラム１６３ｅによる切替制御を行うモード１と、第２切替プログラム１６３ｆによる切替制御を行うモード２の何れのモードがユーザにより選択されているかを読み出す。
【００４２】
ユーザによりモード１が選択されている場合、ＣＰＵ１６１は、順番格納メモリ１６２２ａを参照し、この順番格納メモリ１６２２ａに記憶されている順番を読み出す。そして、ユーザによる入力切替キー２１ｂのキー操作の度に、接続検出部８において外部機器２００が接続された外部入力端子７１として検出された外部入力端子７１のうちから、順番格納メモリ１６２２ａに記憶された順番（すなわち、外部入力を行う外部入力端子７１として選択された時間が現在時点に対して近い順番）で、ＡＶスイッチ部９に切替制御信号を出力して、接続する外部入力端子７１を順に切り替えさせる。また、ＣＰＵ１６１は、ＡＶスイッチ部９において切替接続されている外部入力端子７１を示すＯＳＤ表示を、映像表示部１３のディスプレイ１３ａに行う。
図７は、第１切替プログラム１６３ｅの実行による外部入力端子７１の切替処理に際して、ＡＶスイッチ部９により切替接続された外部入力端子７１と連動して、映像表示部１３のディスプレイ１３ａに表示されるＯＳＤ表示を例示する図である。例えば、接続検出部８により検出された外部機器２００が接続された外部入力端子７１が第２コンポジット端子７１ｂ、第１Ｄ端子７１ｃ、第２Ｄ端子７１ｄ、ＨＤＭＩ端子７１ｅであり、且つ、図４に例示する順番格納メモリ１６２２ａが記憶されている場合、ユーザにより入力切替キー２１ｂがキー操作される度に、ＣＰＵ１６１は、「第２コンポジット端子７１ｂ→第１Ｄ端子７１ｃ→ＨＤＭＩ端子７１ｅ→第２Ｄ端子７１ｄ→ＲＦ（チューナ４ａ〜４ｃからの入力）→第２コンポジット端子７１ｂ→・・・」の順番で、ＡＶスイッチ部９において接続される外部入力端子７１を順に切り替えていく。また、ＣＰＵ１６１は、切替接続と連動して、ＡＶスイッチ部９により切替接続された外部入力端子７１を、図７に示すように、ディスプレイ１３ａにＯＳＤ表示する。
【００４３】
また、ユーザによりモード２が選択されている場合、ＣＰＵ１６１は、回数格納メモリ１６２２ｂを参照し、この回数格納メモリ１６２２ｂに記憶されている各外部入力端子７１の回数を読み出す。そして、ユーザによる入力切替キー２１ｂのキー操作の度に、接続検出部８において外部機器２００が接続された外部入力端子７１として検出された外部入力端子７１のうちから、回数格納メモリ１６２２ｂに記憶された回数が多い順番（すなわち、外部入力を行う外部入力端子７１として選択された回数が多い順番）で、ＡＶスイッチ部９に切替制御信号を出力して、接続する外部入力端子７１を順に切り替えさせる。また、ＣＰＵ１６１は、ＡＶスイッチ部９において切替接続されている外部入力端子７１を示すＯＳＤ表示を、映像表示部１３のディスプレイ１３ａに行う。
図８は、第２切替プログラム１６３ｆの実行による外部入力端子７１の切替処理に際して、ＡＶスイッチ部９により切替接続された外部入力端子７１と連動して、映像表示部１３のディスプレイ１３ａに表示されるＯＳＤ表示を例示する図である。例えば、接続検出部８により検出された外部機器２００が接続された外部入力端子７１が第１コンポジット端子７１ａ、第２コンポジット端子７１ｂ、第１Ｄ端子７１ｃ、第２Ｄ端子７１ｄであり、且つ、図５に例示する順番格納メモリ１６２２ａが記憶されている場合、ユーザにより入力切替キー２１ｂがキー操作される度に、ＣＰＵ１６１は、「第１Ｄ端子７１ｃ→第１コンポジット端子７１ａ→第２コンポジット端子７１ｂ→第２Ｄ端子７１ｄ→ＲＦ（チューナ４ａ〜４ｃからの入力）→第１Ｄ端子７１ｃ→・・・」の順番で、ＡＶスイッチ部９において接続される外部入力端子７１を順に切り替えていく。また、ＣＰＵ１６１は、切替接続と連動して、ＡＶスイッチ部９により切替接続された外部入力端子７１を、図８に示すように、ディスプレイ１３ａにＯＳＤ表示する。
【００４４】
次に、図９のフローチャートを参照しながら、ＣＰＵ１６１により実行される外部入力端子７１の切替処理について説明する。
【００４５】
まず初めに、ＣＰＵ１６１は、リモコン２等のキー操作部２１におけるキー操作の有無を監視しており、ステップＳ１において、キー操作部２１において入力切替キー２１ｂが操作されたか否かを判断する。ユーザにより、入力切替キー２１ｂが押下操作され、当該キー操作に対応する入力操作信号が制御部１６に入力されると、ＣＰＵ１６１は、入力切替キー２１ｂのキー操作が有ると判断し（ステップＳ１；Ｙｅｓ）、ステップＳ２において、入力端子部７に備わる複数の外部入力端子７１のうち、外部機器２００が接続されている外部入力端子７１を接続検出部８に検出させ、検出結果をワークエリア１６２１等の所定の領域に一時的に記憶する。ステップＳ３において、ＣＰＵ１６１は、データエリア１６２２に設定データ１６２２ｃとして記憶されているモードがモード１であるか否かを判断する。ＣＰＵ１６１は、ステップＳ３において設定データ１６２２ｃとして記憶されているモードがモード１であると判断すると（ステップＳ３；Ｙｅｓ）、ステップＳ４に進み、一方、設定データ１６２２ｃとして記憶されているモードがモード１でないと判断すると（ステップＳ３；Ｎｏ）、設定データ１６２２ｃとして記憶されているモードはモード２であるとして、ステップＳ１１に進む。
【００４６】
ステップＳ４において、ＣＰＵ１６１は、データエリア１６２２に備わる順番格納メモリ１６２２ａに記憶されている順番を読み出す。そして、ステップＳ５において、接続検出部８により外部機器２００が接続されている外部入力端子７１として検出された外部入力端子７１のうち、順番格納メモリ１６２２ａから読み出した順番がＮ番目（Ｎの初期値＝１）の外部入力端子７１に、ＡＶスイッチ部９に切替制御信号を出力して接続を切り替える。
続くステップＳ６において、ＣＰＵ１６１は、キー操作部２１において入力切替キー２１ｂが操作されたか否かを判断する。ステップＳ６において、ＣＰＵ１６１は、入力切替キー２１ｂのキー操作が所定時間の間無いと判断すると（ステップＳ６；Ｎｏ）、本処理を終了し、一方、入力切替キー２１ｂのキー操作が有ると判断すると（ステップＳ６；Ｙｅｓ）、ステップＳ７に進んで、Ｎをインクリメントする。ＣＰＵ１６１は、さらに、ステップＳ８において、Ｎ＞Ｎの最大値であるか否かを判断し、Ｎ＞Ｎの最大値でないと判断すると（ステップＳ８；Ｎｏ）、ステップＳ５に戻って以上の処理を繰り返す。一方、ＣＰＵ１６１は、ステップＳ８において、Ｎ＞Ｎの最大値であると判断すると（ステップＳ８；Ｙｅｓ）、ステップＳ９に進む。ステップＳ９において、ＣＰＵ１６１は、ＡＶスイッチ部９に切替制御信号を出力してチューナ４ａ〜４ｃからの接続に切り替える。
ステップＳ１０において、ＣＰＵ１６１は、キー操作部２１において入力切替キー２１ｂが操作されたか否かを判断する。ステップＳ１０において、ＣＰＵ１６１は、入力切替キー２１ｂのキー操作が有ると判断すると（ステップＳ１０；Ｙｅｓ）、ステップＳ５に戻って以上の処理を繰り返し、一方、入力切替キー２１ｂのキー操作が所定時間の間無いと判断すると（ステップＳ１０；Ｎｏ）、本処理を終了する。
【００４７】
一方、ステップＳ１１において、ＣＰＵ１６１は、データエリア１６２２に備わる回数格納メモリ１６２２ｂに記憶されている各外部入力端子７１の回数を読み出す。そして、ステップＳ１２において、接続検出部８により外部機器２００が接続されている外部入力端子７１として検出された外部入力端子７１のうち、回数格納メモリ１６２２ｂから読み出した回数がＮ番目（Ｎの初期値＝１）に多い外部入力端子７１に、ＡＶスイッチ部９に切替制御信号を出力して接続を切り替える。
続くステップＳ１３において、ＣＰＵ１６１は、キー操作部２１において入力切替キー２１ｂが操作されたか否かを判断する。ステップＳ１３において、ＣＰＵ１６１は、入力切替キー２１ｂのキー操作が所定時間の間無いと判断すると（ステップＳ１３；Ｎｏ）、本処理を終了し、一方、入力切替キー２１ｂのキー操作が有ると判断すると（ステップＳ１３；Ｙｅｓ）、ステップＳ１４に進んで、Ｎをインクリメントする。ＣＰＵ１６１は、さらに、ステップＳ１５において、Ｎ＞Ｎの最大値であるか否かを判断し、Ｎ＞Ｎの最大値でないと判断すると（ステップＳ１５；Ｎｏ）、ステップＳ１２に戻って以上の処理を繰り返す。一方、ＣＰＵ１６１は、ステップＳ１５において、Ｎ＞Ｎの最大値であると判断すると（ステップＳ１５；Ｙｅｓ）、ステップＳ１６に進む。ステップＳ１６において、ＣＰＵ１６１は、ＡＶスイッチ部９に切替制御信号を出力してチューナ４ａ〜４ｃからの接続に切り替える。
ステップＳ１７において、ＣＰＵ１６１は、キー操作部２１において入力切替キー２１ｂが操作されたか否かを判断する。ステップＳ１７において、ＣＰＵ１６１は、入力切替キー２１ｂのキー操作が有ると判断すると（ステップＳ１７；Ｙｅｓ）、ステップＳ１２に戻って以上の処理を繰り返し、一方、入力切替キー２１ｂのキー操作が所定時間の間無いと判断すると（ステップＳ１７；Ｎｏ）、本処理を終了する。
【００４８】
以上説明した本発明にかかる本実施形態のテレビジョン受像機１００によれば、複数の外部入力端子７１が備わるとともに、複数の外部入力端子７１のうちから、外部入力を行う外部入力端子７１を選択するための入力切替キー２１ｂを備えるキー操作部２１が備わり、ＣＰＵ１６１による検出プログラム１６３ａの実行により、複数の外部入力端子７１のうちから、外部機器２００が接続された外部入力端子７１が検出され、順番記憶プログラム１６３ｂの実行により、外部入力端子７１が、複数の外部入力端子７１の中で外部入力を行う外部入力端子７１として選択された順番が、選択された時間が新しい順に記憶され、回数記憶プログラム１６３ｃの実行により、複数の外部入力端子７１の各々が、外部入力を行う外部入力端子７１として選択された回数が記憶され、第１切替プログラム１６３ｅの実行により、入力切替キー２１ｂのキー操作の度に、順番記憶プログラム１６３ｂの実行により記憶された順番で、選択される外部入力端子７１が順に切り替えられ、第２切替プログラム１６３ｆの実行により、入力切替キー２１ｂのキー操作の度に、回数記憶プログラム１６３ｃの実行により記憶された回数の多い順番で、選択される外部入力端子７１が順に切り替えられ、切替選択プログラム１６３ｄの実行により、第１切替プログラム１６３ｅの実行による切替制御と第２切替プログラム１６３ｆの実行による切替制御の何れかがユーザにより選択され、切替選択プログラム１６３ｄの実行により選択された切替制御により、検出プログラム１６３ａの実行により検出された外部入力端子７１のうちから、選択される外部入力端子７１が順に切り替えられる。
したがって、新たな外部機器２００の導入等により、今まで頻繁に使用していたものと異なる外部入力端子７１を使用することになった場合であっても、設定操作を行うことなく、選択される可能性の高い前回選択された外部入力端子７１から順に切り替えが行われることとなって、所望の外部入力端子７１に容易且つ短時間で切り替えることができ、ユーザにとって使い勝手の良い電子機器を提供することができる。
また、選択された順番が新しい順又は使用頻度の多い順のうち、ユーザ所望の切替順で外部入力を切り替えることが可能となって、使い勝手をより向上させることができる。また、外部機器２００の接続された外部入力端子７１のみに切り替えされることとなって、所望の外部入力端子７１により短時間で切り替えることができる。
【００４９】
なお、本発明は、発明の趣旨を逸脱しない範囲において種々の改良並びに設計の変更を行っても良い。
例えば、外部入力端子７１に外部機器２００が接続されているか否かを検出する接続検出部８は、同期信号の有無により検出する形態に限られることなく、各外部入力端子７１に機械スイッチを設けて機械的に検出する形態であっても良い。
また、外部入力端子７１の切替は、上記実施形態において説明した選択された順番が新しい順・使用頻度の多い順に基づいて行う他、ユーザが設定画面等において設定した順番に基づいて切り替えが可能な構成であっても良い。
また、外部入力端子７１が、複数の外部入力端子７１の中で外部入力を行う外部入力端子７１として選択された順番を、選択された時間が新しい順に記憶する順番格納メモリ１６２２ａは、上記実施形態の中で例示したものに限られず、例えば、時間情報を記憶せず、外部入力端子７１が選択される度に、選択された外部入力端子７１を一番目に繰り上げることにより、順番を記憶するもの等であっても良い。
また、入力端子７に備わる外部入力端子７１の種類及び数は、上記実施の形態で示したものに限られることなく、ＰＣカードが挿入されるスロット等であっても良い。
【図面の簡単な説明】
【００５０】
【図１】本実施形態におけるテレビジョン受像機の全体構成を例示する図である。
【図２】本実施形態におけるテレビジョン受像機の要部構成を示すブロック図である。
【図３】テレビジョン受像機の装置本体に備わる複数の外部入力端子を例示する図である。
【図４】メモリ部のデータエリアに格納される順番格納メモリを例示する図である。
【図５】メモリ部のデータエリアに格納される回数格納メモリを例示する図である。
【図６】映像表示部のディスプレイに表示される切替順序選択画面を例示する図である。
【図７】第１切替プログラムの実行による外部入力端子の切替処理に際して、映像表示部のディスプレイに表示されるＯＳＤ表示を例示する図である。
【図８】第２切替プログラムの実行による外部入力端子の切替処理に際して、映像表示部のディスプレイに表示されるＯＳＤ表示を例示する図である。
【図９】ＣＰＵにより実行される外部入力端子の切替処理を示すフローチャートである。
【符号の説明】
【００５１】
１００      テレビジョン受像機（電子機器）
２１        キー操作部
２１ｂ      入力切替キー
７１        外部入力端子
７１ａ      第１コンポジット端子（外部入力端子）
７１ｂ      第２コンポジット端子（外部入力端子）
７１ｃ      第１Ｄ端子（外部入力端子）
７１ｄ      第２Ｄ端子（外部入力端子）
７１ｅ      ＨＤＭＩ端子（外部入力端子）
８          接続検出部（検出手段）
９          ＡＶスイッチ部（切替手段、第１切替手段、第２切替手段）
１６１      ＣＰＵ（検出手段、順番記憶手段、回数記憶手段、切替手段、第１切替手段、第２切替手段、切替選択手段）
１６２２ａ  順番格納メモリ（順番記憶手段）
１６２２ｂ  回数格納メモリ（回数記憶手段）
１６３ａ    検出プログラム（検出手段）
１６３ｂ    順番記憶プログラム（順番記憶手段）
１６３ｃ    回数記憶プログラム（回数記憶手段）
１６３ｄ    切替選択プログラム（切替選択手段）
１６３ｅ    第１切替プログラム（第１切替手段、切替手段）
１６３ｆ    第２切替プログラム（第２切替手段）
２００      外部機器
【図１】
2008182397.tif 000003
【図２】
2008182397.tif 000004
【図３】
2008182397.tif 000005
【図４】
2008182397.tif 000006
【図５】
2008182397.tif 000007
【図６】
2008182397.tif 000008
【図７】
2008182397.tif 000009
【図８】
2008182397.tif 000010
【図９】
2008182397.tif 000011